(57)【要約】【課題】  意匠性に優れ、水垂れを防止し外観を向上させることができる窓枠部構造を提供すること。【解決手段】  サッシを壁面開口に嵌め込んで配設する窓枠部構造であって、サッシ下枠２の下端と窓下外壁８の上端との間に設けられた第一の水切り材４と、サッシ下枠２の下部から第一の水切り材４を覆う形状の第二の水切り材３とが設けられ、第二の水切り材３の下部には第一の水切り材からの流水を受ける水受け用の突起３３が設けられ、第二の水切り材の両端部には第一の水切り材４の両端部４４に取り付けられたキャップ９を避ける切欠き３６が設けられ、第一の水切り材４と第二の水切り材３で囲まれた空間の横方向の開放端には水抜き用の切欠き５１の設けられたキャップ５が取り付けられている。【選択図】        図１
2006152684.tif 000002
【特許請求の範囲】
【請求項１】
サッシを壁面開口に嵌め込んで配設する窓枠部構造であって、サッシ下枠の下端と窓下の外壁の上端との間に設けられた第一の水切り材と、サッシ下枠の下部から第一の水切り材を覆う形状の第二の水切り材とが設けられ、第二の水切り材の下部には第一の水切り材からの流水を受ける水受け用の突起が設けられ、第二の水切り材の両端部には第一の水切り材の両端部に取り付けられたキャップを避ける切欠きが設けられ、第一の水切り材と第二の水切り材で囲まれた空間の横方向の開放端には水抜き用の切欠きの設けられたキャップが取り付けられていることを特徴とする窓枠部構造。
【発明の詳細な説明】
【技術分野】
【０００１】
本発明は、窓枠部を防水するために設けられた水切り材の端部から窓下の外壁に雨水等の水垂れを防止する窓枠部構造に関する。
【背景技術】
【０００２】
従来、特許文献１に水密性の優れた水切り材とそれを用いた窓上又は窓下の防水構造が記載されている。この水切り材と防水構造は、窓枠と外壁との間に配置される水切り材と水密材とを具備したものである。
また、特許文献２にビル等の建物に設けられる窓を形成するサッシ用窓枠が記載されている。このサッシ用窓枠は雨が降った場合でも、窓水切りを伝って流れる雨水が下部側の外壁面に流れ落ちないように、窓水切りを伝って流れる雨水等を受ける樋と、この樋内に溜まった水を排水する排水パイプとが設けられたものである。
【特許文献１】特開２００１−７３４３６号公報
【特許文献２】実公平７−４３１５号公報
【発明の開示】
【発明が解決しようとする課題】
【０００３】
しかしながら、上記特許文献１記載の水切り材にあっては、水切り材端部より窓下の外壁に雨水等の水垂れが生じ、外壁の汚れの原因となりやすい。また、窓下の水切り材の出寸法が不足する場合も水垂れ汚れの原因となる。また、特許文献２記載の窓水切りの先端部に樋を設ける方法は材料を余分に必要とし、成形費用もかかり、又外観を損ねるという問題があった。
【０００４】
本発明は、このような従来の水切り材端部からの水垂れによる外壁の汚れの問題点に着目してなされたものであり、その目的とするところは、従来の問題点を解決し、意匠性に優れ、水垂れを防止し外観を向上させることができる窓枠部構造を提供することにある。
【課題を解決するための手段】
【０００５】
請求項１記載の発明は、サッシを壁面開口に嵌め込んで配設する窓枠部構造であって、サッシ下枠の下端と窓下の外壁の上端との間に設けられた第一の水切り材と、サッシ下枠の下部から第一の水切り材を覆う形状の第二の水切り材とが設けられ、第二の水切り材の下部には第一の水切り材からの流水を受ける水受け用の突起が設けられ、第二の水切り材の両端部には第一の水切り材の両端部に取り付けられたキャップを避ける切欠きが設けられ、第一の水切り材と第二の水切り材で囲まれた空間の横方向の開放端には水抜き用の切欠きの設けられたキャップが取り付けられていることを特徴とする窓枠部構造である。
【発明の効果】
【０００６】
請求項１記載の本発明によると、サッシ下枠の下端と窓下外壁の上端との間に設けられた第一の水切り材と、サッシ下枠の下部から第一の水切り材を覆う形状の第二の水切り材とが設けられ、第二の水切り材の下部には第一の水切り材からの流水を受ける水受け用の突起が設けられているから、サッシ枠等を伝って浸入した、第一の水切り材下端部からの雨水の水垂れを第二の水切り材の突起部分で受け止めて、窓下の外壁への雨水の水垂れを防止することができる。
また、第二の水切り材の両端部には第一の水切り材の両端部に取り付けられたキャップを避ける切欠きが設けられているので外観を損なうことが無く取り付けが容易である。そため切欠き部分から浸入した雨水も第二の水切り材の水受け用の突起部分で受け止めるから、窓下の外壁への雨水の水垂れを防止することができる。
【０００７】
更に、第一の水切り材と第二の水切り材で囲まれた空間の横方向の開放端、つまり第二の水切り材の横方向の両端部には、水抜き用の切欠きが設けられたキャップが取り付けられているので、第二の水切り材の水受け用の突起で集められた雨水をキャップに設けられた水抜き用の切欠きから排出して、窓枠端部の外壁への水垂れも防止することができる。
また、サッシ下枠部と水切り部とが一体化しすっきりとした外観が得られる。
【発明を実施するための最良の形態】
【０００８】
次に、本発明の実施の形態を図面を参照しながら説明する。
図１〜図３は本発明の一実施形態であって、図１はサッシ下枠に第一水切り材を覆う形状の第二水切り材が取り付けられ、開放端部に樹脂キャップが取り付けられた窓枠部構造を示す断面図、図２は図１の上面から見た平面図、図３は樹脂キャップの斜視図である。
【０００９】
本実施の形態においては、図１に示すように、サッシ下枠２の下端部分２１と窓下の外壁８の上端との間に設けられた窓下側の窓枠１の構造であって、サッシ下枠２の下に第一の水切り材４があり、第一の水切り材４の外側に第二の水切り材３がある。
第一の水切り材４は、垂直部分４３、屋外側に少し下向きに傾斜する傾斜部分４１及び垂直に下がった下片部分４２とからなる。
第二の水切り材３は、垂直部分３５、屋外側に少し下向きに傾斜し、第一の水切り材４の傾斜部分４１の上を覆う傾斜部分３１、傾斜部分３１から垂直に下がり第一の水切り材４の下片部分４２の外側を覆う下片部分３２、下片部分３２の下側で第一の水切り材４の雨水の流水を受ける突起部分３３、及び下片部分３２の屋外側にカーブした下端部分３４とからなる。
【００１０】
第二の水切り材３の傾斜部分３１から下片部分３２までは、第一の水切り材４の傾斜部分４１から下片部分４２までよりも大きく、下片部分３２は下片部分４２よりも外壁から離れている。
尚、ユニット建物にあっては、建物ユニットを輸送する際の寸法上の輸送制限から、外壁から外側への出寸法を小さくしなければならない場合がある。このような場合でも、第一の水切り材４は外壁からの出寸法が小さいので、工場で取り付けて、第二の水切り材３は外壁からの出寸法が大きいので、ユニット建物の施工現場で取り付ける、施工方法を採用することができる。第二の水切り材３を取り付ける前の状態は、特許文献１の特開２００１−７３４７６号公報に示される構造と略同じである。同様の構造で、第二の水切り材が無い窓枠部構造の建物に対して、メンテナンスの際に第二の水切り材３を取り付けてもよい。
【００１１】
第一の水切り材４の下片部分４２は、サッシ下枠２の屋内側の垂直部分２２とまぐさ６の間に挟まれて、図示省略の適切な固定手段で固定されている。
第二の水切り材３をサッシ下枠２の下で固定するために、サッシ下枠２の下面の屋内側から下端部分２１が突出しており、第一の水切り材４の垂直部分の下部を押さえている。このため、サッシ下枠２の下面と第一の水切り材４の傾斜部分４１との間にビス７を通せる空間が形成されている。この部分でサッシ下枠２の下端部分２１と第一の水切り材４の垂直部分４３を間に挟んで、第二の水切り材３の垂直部分３５がビス７によりまぐさ６に固定されて設けられている。
【００１２】
第一の水切り材４と第二の水切り材３で囲まれた空間の横方向の開放端となる第二の水切り材３端部の開放部には樹脂キャップ５が取り付けられている。この樹脂キャップ５は図１及び図３に示すように開放部を覆う本体部分５３と下方に第二の水切り材３の下端部分３４を覆う部分５２とからなり、第二の水切り材の突起部分３３に位置する部分に切欠き５１が設けられている。この切欠き５１は第一の水切り材４の下片部分４２から落下してくる雨水による流水を第二の水切り材の突起部分３３で受けて、集められた流水をここから排出する。
【００１３】
図２に示すように、第一の水切り材端部４４に差し込まれた樹脂キャップ９を避ける為、第二の水切り材３の端部には樹脂キャップ９の形状に沿ったＬ字状の切欠き３６が設けられている。樹脂キャップ９とＬ字状の切欠き３６との間にはＥＰＤＭ発泡体製の水密材１１により水密にされており、雨水の浸入を防止している。
尚１０は外壁８とサッシ下枠２間を防水するためのＥＰＤＭ製ガスケットである。
【００１４】
本実施の形態の窓枠部構造によると、以下の作用効果を奏する。
（１）第二の水切り材３は第一の水切り材４の下片部分４２から落下する雨水を第二の水切り材３の突起部分３３により受ける構造になっているから、第一の水切り材４の下片部分４２からの雨水の外壁８への水垂れを防止する。そして、第二の水切り材３の突起部分３３に集まった雨水は樹脂キャップ５に設けられた切欠き５１から排出されるので外壁８から離れており、外壁８に直接雨水等の水垂れが生じることが無く、外壁８への汚れを防止することができる。
また、第二の水切り材３から流れ落ちる雨水は第二の水切り材３の屋外側にカーブした下端部分３４の先端から落下するので外壁８からより離れることとなり、外壁８へ直接雨水等の水垂れが生じることが無く、外壁８への汚れを防止することができる。
【００１５】
（２）第一の水切り材端部４４に差し込まれた樹脂キャップ９を避ける為、第二の水切り材３の端部には樹脂キャップ９の形状に沿ったＬ字状の切欠き３６が設けられている。樹脂キャップ９とＬ字状の切欠き３６との間にはＥＰＤＭ発泡体製の水密材１１により水密にされており、雨水の浸入を防止しているが、Ｌ字状の切欠き３６から水が浸入し第一の水切り材４に水がまわっても第二の水切り材３の突起部分３３で受けることができ、外壁８に雨垂れすることがない。
（３）窓枠１の端部には第二の水切り材３と第一の水切り材４に囲まれた空間の開放端には樹脂キャップ５が取り付けられているので、窓枠部１の端部で樹脂キャップ５の切欠き５１（排水口）以外の場所から外壁５への水垂れを防止することができる。
【００１６】
（４）サッシ下枠２と第二の水切り材３とは一体化されておりすっきりとした外観であり、意匠性にも優れる。
【００１７】
以上、本発明の実施の形態を図面により詳述したが、本発明の具体的な構成はこの実施の形態に限られるものではなく、本発明の要旨を逸脱しない範囲の設計の変更等があっても本発明に含まれる。
【産業上の利用可能性】
【００１８】
本発明の窓枠部構造を有するサッシの窓枠を設置することにより、外壁へ雨水等による水垂れによる汚れを防止することができ、外壁の汚れによる塗り直し等のメンテナンスの材料や工数が低減されるだけでなく、従来から用いられている窓枠部に設けられた第一の水切り材に第二の水切り材を後付けで取り付けることも可能であり、そのことにより外壁への雨水等による水垂れによる汚れを防止することができ、メンテナンス費用の低減を図ることもできる。
【図面の簡単な説明】
【００１９】
【図１】本発明の一実施形態であって、窓枠部構造を示す断面図である。
【図２】図１の上面から見た平面図である。
【図３】樹脂キャップの斜視図である。
【符号の説明】
【００２０】
１                    窓枠
２                    サッシ下枠
３                    第二の水切り材
３１                  傾斜部分
３２                  下片部分
３３                  突起部分
３４                  下端部分
３５                  垂直部分
３６                  切欠き
４                    第一の水切り材
４１                  傾斜部分
４２                  下片部分
４３                  垂直部分
５                    樹脂キャップ
５１                  切欠き
６                    まぐさ
６１                  ボルト穴
７                    ビス
８                    外壁
９                    樹脂キャップ
１０                  ガスケット
１１                  水密材
【図１】
2006152684.tif 000003
【図２】
2006152684.tif 000004
【図３】
2006152684.tif 000005